(57)【特許請求の範囲】
【請求項１】
メインボードと；
無線信号を送受信するためのアンテナと；
前記メインボードに設けられ，前記アンテナを通じて送受信されるＲＦ信号が入力されるＰＣＩスロットと；
前記ＰＣＩスロットに着脱可能なカード本体と，前記カード本体の一側に設けられて前記アンテナと前記ＰＣＩスロットとの間で送受信されるＲＦ信号を入出力するためのＲＦ接続部と，が設けられた無線ＬＡＮカードと；
前記無線ＬＡＮカードが前記ＰＣＩスロットに装着されるとき，前記アンテナ及び前記ＰＣＩスロットの間で送受信される前記ＲＦ信号が前記無線ＬＡＮカードの前記ＲＦ接続部に入出力されるように前記ＲＦ接続部に連結されるアンテナ連結部と；
前記ＰＣＩスロットの両側に設けられ，前記無線ＬＡＮカードのスライディング結合を案内し，前記アンテナ連結部に連結されたラッチ部材と；
前記アンテナ連結部及び前記ラッチ部材の内部に設けられて，前記アンテナと前記無線ＬＡＮカードの前記ＲＦ接続部とを連結するＲＦ信号線と；
を含むことを特徴とする携帯用コンピュータ。
【請求項２】
前記アンテナ連結部及び前記ラッチ部材には，それぞれ前記無線ＬＡＮカードに結合される突出部が設けられており，前記無線ＬＡＮカードには前記突出部に対応する結合溝が形成されていることを特徴とする請求項１に記載の携帯用コンピュータ。
【請求項３】
前記ＲＦ信号線は，前記アンテナ連結部の突出部に露出されて前記無線ＬＡＮカードの前記ＲＦ接続部に連結されることを特徴とする請求項２に記載の携帯用コンピュータ。
【請求項４】
前記無線ＬＡＮカードは，前記カード本体の両側に接地部を有し，
前記アンテナ連結部及び前記ラッチ部材は，前記接地部と接触されるグラウンド接続部を含むことを特徴とする請求項１，２，または３のうちのいずれか１項に記載の携帯用コンピュータ。
【発明の詳細な説明】
【０００１】
【発明の属する技術分野】
本発明は，無線アンテナが装着された携帯用コンピュータに係り，より詳細には，無線ＬＡＮカードの装着構造が改善された携帯用コンピュータに関する。
【０００２】
【従来の技術】
ＬＡＮカードは，コンピュータをネットワークに接続可能にする装置である。超高速通信網の発達及びインターネットの大衆化にともなって，現在大部分のコンピュータにはＬＡＮカードが装着されている。ＬＡＮカードの中には，無線によるデータ通信を可能にする無線ＬＡＮカードがある。
【０００３】
無線ＬＡＮカードは，隣接のコンピュータ同士のデータ通信を赤外線や高周波等を用いて無線で行うので，ＰＣの設置または変更が容易である長所がある。無線ＬＡＮカードは，携帯用コンピュータまたはデスクトップのいずれにも装着される。特に携帯用コンピュータは移動性が重視されるので，無線ＬＡＮカードが装着される場合が多い。
【０００４】
携帯用コンピュータは構造的なデザインの制約により，標準形のＰＣＩ（Peripheral Computor Interconnect）ＬＡＮカードの装着が容易でない。そこで，標準形より小さいサイズのミニＰＣＩ（Ｍｉｎｉ  ＰＣＩ）規格のＬＡＮカードを使用する場合が多い。このミニＰＣＩＬＡＮカードはサイズが小型で，ＬＡＮカード内部にアンテナ回路を一体に備え難い。従って，ミニＰＣＩ規格の無線ＬＡＮカードを使用する場合，携帯用コンピュータの本体にアンテナ回路を別に備えて，これを無線ＬＡＮカードに連結するようにしている。
【０００５】
このような，ミニＰＣＩ規格を採用したＬＡＮカードの装着状態を，図３及び図４を参照して説明する。
【０００６】
図３は，携帯用コンピュータの分解斜視図であり，図４は，無線ＬＡＮカードの装着状態を携帯用コンピュータの底面から見た図である。図３に示すように，携帯用コンピュータは，本体１１０と本体１１０の上部に，開閉できるようにヒンジ結合されたディスプレイパネル１００を有している。本体１１０は，相互結合により所定の受容空間を形成する上部ケーシング１１２，及び，下部ケーシング１１６を有している。上部ケーシング１１２の上部面には，キーボード１１１を始め，タッチパッド等の入力装置が設置されている。
【０００７】
上部ケーシング１１２及び下部ケーシング１１６により形成される本体１１０の受容空間には，図示されないＣＰＵ，ＢＩＯＳメモリ等のシステム回路の構成要素が設置されたメインボード１１４が内蔵される。メインボード１１４の後面には，後述するＰＣＩスロット２００が設置されて（図４参照），カード状の周辺装置をメインボード１１４に装着させることができる。
【０００８】
一方，本体１１０の受容空間の周縁部の一領域には，無線信号の送受信のためのアンテナ部１１８が装着される。アンテナ部１１８は，無線信号を送受信するアンテナ１２０と，アンテナ１２０を通じて送受信されるＲＦ信号を伝達するＲＦ信号線１２２とを含む。
【０００９】
図４に示すように，メインボード１１４の後面に設けられたＰＩＣスロット２００には，ＰＣＩカード状の無線ＬＡＮカード２１０を装着することができる。無線ＬＡＮカード２１０は，無線ＬＡＮカード２１０をＰＣＩスロット２００にスライディング結合させ，無線ＬＡＮカード２１０に設けられたＲＦ接続部２１８にアンテナ部１１８のＲＦ信号線１２２を接続し，無線ＬＡＮカード２１０とアンテナ部１１８とを連結することにより装着される。
【００１０】
このような従来の無線ＬＡＮカード２１０の装着状態を図５に簡略に示す。メインボード１１４に設けられたＰＣＩスロット２００には，所定の離隔間隔をおいて突出された一対のラッチ部材２０２が設けられている。
【００１１】
無線ＬＡＮカード２１０は，信号処理回路を含むＰＣＢ基板からなるカード本体２１２を有する。カード本体２１２の前方には，ＰＣＩスロット２００に受容結合された場合に，データをインターフェーシングするコネクタ２１６が設けられている。また，後方にはアンテナ部１１８のＲＦ信号線１２２の接続のためのＲＦ接続部２１８が設けられている。また，カード本体２１２の両側端部には，ＰＣＩスロット２００に設けられたラッチ部材２０２と結合される結合溝２１４が形成される。
【００１２】
このような構成により，メインボード１１４に設けられたＰＣＩスロット２００に，無線ＬＡＮカード２１０のコネクタ２１６が完全に挿入されるようにスライディング結合させる。このようにすれば，無線ＬＡＮカード２１０に形成された結合溝２１４に，ラッチ部材２０２が結合維持される。そして，無線ＬＡＮカード２１０がＰＣＩスロット２００から離脱することが防止できる。また，無線ＬＡＮカード２１０の結合後に，アンテナ部１１８のＲＦ信号線１２２を無線ＬＡＮカード２１０のＲＦ接続部２１８に連結すれば，アンテナ部１１８を通じて送受信される無線信号が無線ＬＡＮカード２１０に入出力できる。
【００１３】
【発明が解決しようとする課題】
このような無線ＬＡＮカードを装着させるためには，ＰＣＩスロットに無線ＬＡＮカードを挿入するだけでなく，アンテナ部のＲＦ信号線をＲＦ接続部に追加して連結しなければならない不便がある。このため，ユーザーが無線ＬＡＮカードを装着させることが容易でなく，また，生産工程が複雑になるという問題がある。
【００１４】
そこで本発明は，アンテナ外装形無線ＬＡＮカードの装着構造の改善された携帯用コンピュータを提供することを目的とする。
【００１５】
【課題を解決するための手段】
上記目的を達成するための本発明の携帯用コンピュータは，メインボードと；無線信号を送受信するためのアンテナと；メインボードに設けられ，アンテナを通じて送受信されるＲＦ信号が入力されるＰＣＩスロットと；ＰＣＩスロットに着脱可能なカード本体と，カード本体の一側に設けられてアンテナとＰＣＩスロットとの間で送受信されるＲＦ信号を入出力するためのＲＦ接続部と，が設けられた無線ＬＡＮカードと；無線ＬＡＮカードがＰＣＩスロットに装着されるとき，アンテナ及びＰＣＩスロットの間で送受信されるＲＦ信号が無線ＬＡＮカードのＲＦ接続部に入出力されるようにＲＦ接続部に連結されるアンテナ連結部と；を含むことを特徴とする。
【００１６】
このような構成により，ユーザーが無線ＬＡＮカードを装着させることが容易で，また，生産工程が単純な無線ＬＡＮカードの装着構造の改善された携帯用コンピュータが得られる。
【００１７】
上記構成でさらに，ＰＣＩスロットの両側に設けられ，無線ＬＡＮカードのスライディング結合を案内し，アンテナ連結部に連結されたラッチ部材と；アンテナ連結部及びラッチ部材の内部に設けられて，アンテナと無線ＬＡＮカードのＲＦ接続部とを連結するＲＦ信号線と；を含んでいてもよい。
【００１８】
また，アンテナ連結部及びラッチ部材には，それぞれ無線ＬＡＮカードに結合される突出部が設けられ，無線ＬＡＮカードには突出部に対応する結合溝が形成されていることが好ましい。
【００１９】
また，ＲＦ信号線は，アンテナ連結部の突出部に露出されて無線ＬＡＮカードのＲＦ接続部に連結されることが好ましい。
【００２０】
さらに，無線ＬＡＮカードは，カード本体の両側に接地部を有し，アンテナ連結部及びラッチ部材は，接地部と接触されるグラウンド接続部を含むことが好ましい。
【００２１】
【発明の実施の形態】
以下に，添付した図面を参照して本発明による携帯用コンピュータの好ましい一実施形態を説明する。本実施形態の特徴は，無線ＬＡＮカードと無線ＬＡＮカードの装着されるＰＣＩスロットにあって，従来のような携帯用コンピュータの構成要素に対する説明は従来技術の説明を参考にする。
【００２２】
図１は，本実施形態による携帯用コンピュータの無線ＬＡＮカードの装着状態を簡略的に示す図である。
【００２３】
図１に示すように，本実施形態による携帯用コンピュータは，無線送受信のためのアンテナ部３０と，アンテナ部３０と連結されたＰＣＩスロット５０と，ＰＣＩスロット５０の両端部から突出されて無線ＬＡＮカード１０の離脱を防止する一対のラッチ部材５２と，ラッチ部材５２の自由端部から延長されて無線ＬＡＮカード１０にアンテナ部３０が連結されるようにアンテナ連結部５４と，を含んで構成される。
【００２４】
アンテナ部３０は，無線インターネット，移動通信のための無線信号を送受信し，アンテナポール状又はＰＣＢ上にアンテナパターンをプリントして形成したカード状のアンテナ等を使用することが可能である。アンテナ部３０には，他の回路との信号伝達のためのＲＦ信号線５８が設けられる。
【００２５】
メインボード１１４（図３参照）に設けられたＰＣＩスロット５０は，アンテナ部３０のＲＦ信号線５８と電気的に連結される。従って，アンテナ部３０を通じて受信された無線信号は，ＲＦ信号線５８に沿ってＰＣＩスロット５０に伝達される。ＰＣＩスロット５０にＲＦ信号線５８を連結するためには，半田付け方法や，ＰＣＩスロット５０にＲＦコネクタを設けてＲＦ信号線５８をＰＣＩスロット５０に設けられたＲＦコネクタに接続させる方法等，様々な方法を利用することができる。
【００２６】
前述の通り，ＰＣＩスロット５０の両端部には一対のラッチ部材５２が突出されている。ラッチ部材５２は，無線ＬＡＮカード１０のスライディング結合を案内し，無線ＬＡＮカード１０がＰＣＩスロット５０から離脱されることを防止する。ラッチ部材５２の自由端部にはラッチ部材５２から延長されてＰＣＩスロット５０の内側に延長されたアンテナ連結部５４が形成されている。
【００２７】
図２は，図１の無線ＬＡＮカードと案内ガイドの結合状態を示す拡大断面図である。図２に示すように，ＲＦ信号線５８は，ＰＣＩスロット５０のラッチ部材５２及びアンテナ連結部５４の内部に一体形に形成される。そして，ＰＣＩスロット５０の内側に延長されたアンテナ連結部５４の突出部５４ａに露出された状態にある。このＲＦ信号線５８は，ＲＦ信号線５８を外部回路と接続させる機能を有する。
【００２８】
一方，無線ＬＡＮカード１０は，信号処理部１４を含むＰＣＢ基板からなったカード本体１２を有し，カード本体１２の一領域にはＰＣＩスロット５０に受容結合されたとき，信号処理部１４とコンピュータシステムとの間に入出力されるデータをインターフェーシングするコネクタ１６が設けられる。
【００２９】
カード本体１２の両側には，カード本体１２の内側方向に切取られてラッチ部材５２の突出部５２ａと結合維持される結合溝１８が形成されている。カード本体１２にはグラウンドパターン２２が形成されている。このグラウンドパターン２２は，結合溝１８にラッチ部材５２の突出部５２ａが結合される場合，カード本体１２とラッチ部材５２の突出部５２ａが接触する一領域にカード本体１２を接地する。アンテナ連結部５４の突出部５４ａが接触する領域には，アンテナ連結部５４から露出されたＲＦ信号５８の接続のためのＲＦ接続部２０が設けられている。
【００３０】
従って，無線ＬＡＮカード１０のコネクタ１６がＰＣＩスロット５０に完全に受容されるようにスライディング結合されれば，ラッチ部材５２が外側に慣性変形しながら，ラッチ部材５２の突出部５２ａが無線ＬＡＮカード１０の結合溝１８に結合維持される。これと同時に，アンテナ連結部５４の突出部５４ａに露出されたＲＦ信号線５８は，無線ＬＡＮカード１０のＲＦ接続部２０に接続される。そして，アンテナ部３０から入力された信号は，アンテナ連結部５４及びＲＦ接続部２０を通じて無線ＬＡＮカード１０の信号処理部１４に伝達される，そして，ＰＣＩスロット５０を通じて入力される信号もアンテナ部３０に入力可能になる。
【００３１】
ここで，ラッチ部材５２の表面は，接地可能な材料でシールドされている。従って，無線ＬＡＮカード１０がＰＣＩスロット５０に装着されるとき，カード本体１２の結合溝１８とラッチ部材５２の突出部５２ａとが結合維持されば，ラッチ部材５２の表面のシールドと結合溝１８の隣接領域に形成されたグラウンドパターン２２が接続されて，無線ＬＡＮカード１０を接地させる。
【００３２】
本実施形態によると，無線ＬＡＮカードの装着されるＰＣＩスロットに設けられて，無線ＬＡＮカードの離脱を防止するラッチ部材及びアンテナ連結部の内部にＲＦ信号線を一体に形成して，無線ＬＡＮカードのＲＦ接続部と，アンテナ連結部から露出されたＲＦ信号線とが接続される。これにより，無線ＬＡＮカードをＰＣＩスロットに装着させるだけでも，無線ＬＡＮカードとアンテナ回路部とを連結させることができ，無線ＬＡＮカードを接地させることもできる。
【００３３】
以上，添付図面を参照しながら本発明の携帯用コンピュータの好適な実施形態について説明したが，本発明はこの例に限定されない。いわゆる当業者であれば，特許請求の範囲に記載された技術的思想の範疇内において各種の変更例または修正例に想到し得ることは明らかであり，それらについても当然に本発明の技術的範囲に属するものと了解される。
【００３４】
【発明の効果】
本発明によれば，アンテナ外装形無線ＬＡＮカードの装着構造の改善された携帯用コンピュータが提供される。
【図面の簡単な説明】
【図１】図１は，本実施形態による携帯用コンピュータの無線ＬＡＮカードの装着状態図である。
【図２】図２は，図１の無線ＬＡＮカードと案内ガイドの結合状態を示す拡大断面図である。
【図３】図３は，従来の携帯用コンピュータの分解斜視図である。
【図４】図４は，図３の無線ＬＡＮカードの装着状態を携帯用コンピュータの底面から見た図である。
【図５】図５は，従来の携帯用コンピュータの無線ＬＡＮカードの装着状態を簡略に示す図である。
【符号の説明】
１０    無線ＬＡＮカード
１２    カード本体
１４    信号処理部
１６    コネクタ
１８    結合部
２０    ＲＦ接続部
２２    グラウンドパターン
３０    アンテナ部
５０    ＰＣＩスロット
５２    ラッチ部材
５２ａ  突出部
５４    アンテナ連結部
５８    ＲＦ信号線
【図１】
0003723155.tif 000002
【図２】
0003723155.tif 000003
【図３】
0003723155.tif 000004
【図４】
0003723155.tif 000005
【図５】
0003723155.tif 000006